【事件の表示】
　特許第３１１１３３１号「擁壁用ブロック及び擁壁の構築構造」の請求項３に係る特許に対する特許異議の申立てについて、次のとおり決定する。
【結　論】
　訂正を認める。
　特許第３１１１３３１号の請求項３に係る特許を維持する。
【理　由】
１．手続の経緯
　本件特許第３１１１３３１号に係る出願は、平成４年１１月１７日（国内優先権主張　平成４年７月２８日）の出願であって、平成１２年９月２２日に特許権の設定登録がなされ、その後、三共コンクリート株式会社から特許異議の申立がなされ、取消理由通知が通知され、その指定期間内である平成１３年１１月２０日付けで訂正請求がなされたものである。
　
２．訂正の要旨
　訂正事項ａ：特許請求の範囲の【請求項３】を、特許請求の範囲の減縮を目的として、次のように訂正する。
「【請求項３】　前壁と、この前壁の背面側に突設形成された控え壁とを備え、前記控え壁の端部には、両側方向へ膨出した膨拡壁が設けられ、この膨拡壁内には、上下面に連通した鉄筋挿入用大径孔が開孔されると共に、前記控え壁には、上下面に連通した鉄筋挿入用の複数の孔が開孔され、これらの孔の上下端面側には同孔より拡径するようにテーパ面が設けられ、前記鉄筋挿入用大径孔或いはその他の鉄筋挿入用の複数の孔は、それらの孔の内部上縁側から下縁側へ向けて口径が小さくなるようなテーパ孔として形成されて成る請求項１または２記載の擁壁用ブロック。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、特許明細書の記載の範囲内のものであり、さらに、実質的に特許請求の範囲を拡張し、又は変更するものではない。
　したがって、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２項及び第３項の規定に適合するので、当該訂正を認める。
　  　
４．異議の申立てについての判断
（１）本件訂正後発明
　本件訂正明細書の請求項３に係る発明は、訂正明細書の特許請求の範囲の請求項３に記載されたとおりのものである（上記、２．訂正の要旨　訂正事項ａ参照。）（以下、「訂正後発明」という。）。
　
（２）申立ての理由の概要
　申立人三共コンクリート株式会社は、証拠として甲第１号証（「週刊ブロック通信」　第１５６６号　公共事業通信社　平成３年１２月９日発行　表紙，ｐ．４〜６）、甲第２号証（特開昭５９−４３１号公報）、甲第３号証（特開平２−２７０２３号公報）、甲第４号証（実願平２−９２４１６号（実開平４−５０４３２号）のマイクロフィルム）を提出して、本件請求項３に係る特許発明は、甲第１号証、甲第２号証及び甲第３号証または甲第４号証に記載された発明に基づいて、当業者が容易に発明をすることができたものであるから、特許法第２９条第２項の規定により特許を受けることができないものであり、本件の特許を取り消すべきであると主張している。
　
（３）甲各号証記載の発明
　甲第１号証には、第４頁の中程の「Ｔ型ブロックの基本型製品は、・・・ブロック製品の裏側は二つのＴ字型控えを設けてあり、この控には鉄筋を通すための中空部がついている。これを重ねていくことにより擁壁の構築を行うもの。」という記載、同頁左下の築造の詳細図（特にＫサイズのブロック）及び第６頁中程右下の図並びに、当業者の技術常識からみて、前壁と、この前壁の背面側に突設形成された控え壁とを備え、前記控え壁の端部には、両側方向へ膨出した膨拡壁が設けられ、この膨拡壁内には、上下面に連通した鉄筋挿入用大径孔が開孔されると共に、前記控え壁には、上下面に連通した鉄筋挿入用の複数の孔が開孔されて成る擁壁用ブロックが記載されていると認められる。
　甲第２号証には、第２頁左上欄第９行〜同右上欄第４行、同右上欄第１６行〜同左下欄第１行の記載及び第１，４，５図並びに、当業者の技術常識からみて、壁面形成部と、この壁面形成部の背面側に突設形成された控部と、控部の端部に設けられた両側方向へ膨出した固定部と、控部と固定部に設けられ上下面に連通した鉄筋挿入用孔である縦貫鉄筋孔からなる擁壁用ブロックの、縦貫鉄筋孔の上下端面側には同孔より拡径するようにテーパ面が設けられていることが記載されている。
　甲第３号証には、第２頁左下欄第１６、１７行及び第３，７図の記載を参照すると、擁壁用ブロックの鉄筋挿通孔を、上方から下方に向かって僅かに縮径、つまり、孔の内部上縁側から下縁側へ向けて孔径が小さくなるようなテーパ孔として形成されていることが記載されている。
　甲第４号証には、擁壁用として使用することができる構築用ブロックに関し、第１，２，５図に、上方から下方に向かって僅かに縮径している鉄筋挿通孔を設けたものが記載されている。
　
（４）対比・判断　
　本件訂正後発明と、甲第１号証に記載された発明とを比較すると、両者は、前壁と、この前壁の背面側に突設形成された控え壁とを備え、前記控え壁の端部には、両側方向へ膨出した膨拡壁が設けられ、この膨拡壁内には、上下面に連通した鉄筋挿入用大径孔が開孔されると共に、前記控え壁には、上下面に連通した鉄筋挿入用の複数の孔が開孔されて成る擁壁用ブロックの点で一致し、下記の点で相違している。
ａ．鉄筋挿入用孔の上下端面側には、訂正後発明では、同孔より拡径するようにテーパ面が設けられているのに対し、甲第１号証に記載された発明では、そのような限定を有していない点。
ｂ．鉄筋挿入用孔は、訂正後発明では、孔の内部上縁側から下縁側へ向けて孔径が小さくなるようなテーパ孔として形成されているているのに対し、甲第１号証に記載された発明では、そのような限定を有していない点。
ｃ．訂正後発明では、引用している請求項１または２に係る発明の構成である、「前壁と、控え壁内には結合鉄筋が配設され、同結合鉄筋は前壁から同控え壁の後部の膨拡壁にかけて配設された第１の結合鉄筋群と、この第１の結合鉄筋群の高さ方向に交互に設けられ前壁から膨拡壁にかけて配設された第２の結合鉄筋群とを備え、前記第１および第２結合鉄筋群のおのおのは、控え壁と膨拡壁との接続部の近傍位置において交叉するように配筋されてクロス鉄筋層を形成し」、または、「該クロス鉄筋層を形成すると共に、このクロス鉄筋層の高さ方向に交互に設けられ、前壁から同控え壁の後部の膨拡壁にかけて配設された第３結合鉄筋群と、この第３結合鉄筋群の高さ方向に交互に設けられ前壁から膨拡壁にかけて配設された第４結合鉄筋群とからなる対向配筋層を有している」のに対し、甲第１号証に記載された発明では、そのような構成を有していない点。
　上記相違点ａについて検討すると、相違点ａにおける訂正後発明のような限定を付した鉄筋挿入用孔は、甲第２号証に記載されており、この限定構成を甲第１号証に記載された発明の鉄筋挿入用孔に適用することは適宜なしうることにすぎない。
　また、相違点ｂを検討するため甲第３号証をみると、甲第３号証に記載された発明の「鉄筋挿通孔」は、訂正後発明の「鉄筋挿入用孔」に相当するから、甲第３号証には、上記相違点ｂにおける訂正後発明のような限定を付した鉄筋挿入用孔が記載されており、この限定構成を甲第１号証に記載された発明の鉄筋挿入用孔に適用することは設計的事項にすぎない。
　しかしながら、上記相違点ｃにおける訂正後発明の構成は、甲第２ないし４号証のいずれにも記載されておらず、また示唆するところもなく、かつ周知技術でもない。そして、訂正後発明は当該構成によって、明細書記載の作用効果を奏するものであるから、訂正後発明が、上記甲第１号証ないし甲第４号証に記載された発明に基づいて、当業者が容易に発明をすることができたものであるとはいえない。
　
５．むすび
　以上のとおりであるから、異議申立ての理由及び証拠によっては、本件特許を取り消すことはできない。
　また、他に本件特許を取り消すべき理由を発見しない。
　よって、結論のとおり決定する。
【異議決定日】
平成１３年１１月３０日（２００１．１１．３０）
【訂正の要旨】
訂正の要旨
　特許第３１１１３３１号の明細書を、特許請求の範囲の減縮を目的として訂正事項ａのように訂正する。
　訂正事項ａ：特許請求の範囲の【請求項３】を、次のように訂正する。
　【請求項３】　前壁と、この前壁の背面側に突設形成された控え壁とを備え、前記控え壁の端部には、両側方向へ膨出した膨拡壁が設けられ、この膨拡壁内には、上下面に連通した鉄筋挿入用大径孔が開孔されると共に、前記控え壁には、上下面に連通した鉄筋挿入用の複数の孔が開孔され、これらの孔の上下端面側には同孔より拡径するようにテーパ面が設けられ、前記鉄筋挿入用大径孔或いはその他の鉄筋挿入用の複数の孔は、それらの孔の内部上縁側から下縁側へ向けて口径が小さくなるようなテーパ孔として形成されて成る請求項１または２記載の擁壁用ブロック。
（５４）【発明の名称】
擁壁用ブロック及び擁壁の構築構造
（５７）【特許請求の範囲】
　【請求項１】　前壁と、この前壁の背面側に突設形成された控え壁と、を備え、
　前記控え壁の端部には、両側方向へ膨出した膨拡壁が設けられ、
　少なくとも、この膨拡壁内には、上下面に連通した鉄筋挿入用大径孔が開孔され、
　前記前壁と、控え壁内には結合鉄筋が配設され、同結合鉄筋は前壁から同控え壁の後部の膨拡壁にかけて配設された第１結合鉄筋群と、この第１結合鉄筋群の高さ方向に交互に設けられ前壁から膨拡壁にかけて配設された第２結合鉄筋群とを備え、
　前記第１および第２結合鉄筋群のおのおのは、控え壁と膨拡壁との接続部の近傍位置において交差するように配筋されてクロス鉄筋層を形成し、
　前記鉄筋挿入用大径孔は、それらの孔の内部上縁側から下縁側へ向けて孔径が小さくなるようなテーパ孔として形成されて成る擁壁用ブロック。
　【請求項２】　前壁と、この前壁の背面側に突設形成された控え壁とを備え、
　前記控え壁の端部には、両側方向へ膨出した膨拡壁が設けられ、
　少なくとも、この膨拡壁内には、上下面に連通した大径孔が開孔され、
　前記前壁と、控え壁内に配設される結合鉄筋は、前壁から同控え壁の後部の膨拡壁にかけて配設された第１結合鉄筋群と、この第１結合鉄筋群の高さ方向に交互に設けられ前壁から膨拡壁にかけて配設された第２結合鉄筋群とを有し、控え壁と膨拡壁との接続部の近傍位置において交差するように配筋されてクロス配筋層を形成すると共に、
　このクロス配筋層の高さ方向に交互に設けられ、前壁から同控え壁の後部の膨拡壁にかけて配設された第３結合鉄筋群と、この第３結合鉄筋群の高さ方向に交互に設けられ前壁から膨拡壁にかけて配設された第４結合鉄筋群とからなる対向配筋層を有し、
　前記大径孔は、それらの孔の内部上縁側から下縁側へ向けて孔径が小さくなるようなテーパ孔として形成されて成る擁壁用ブロック。
　【請求項３】　前壁と、この前壁の背面側に突設形成された控え壁とを備え、前記控え壁の端部には、両側方向へ膨出した膨拡壁が設けられ、
　この膨拡壁内には、上下面に連通した鉄筋挿入用大径孔が開孔されると共に、前記控え壁には、上下面に連通した鉄筋挿入用の複数の孔が開孔され、これらの孔の上下端面側には同孔より拡径するようにテーパ面が設けられ、
　前記鉄筋挿入用大径孔或いはその他の鉄筋挿入用の複数の孔は、それらの孔の内部上縁側から下縁側へ向けて孔径が小さくなるようなテーパ孔として形成されて成る
請求項１または２記載の
　【請求項４】　前壁と、この前壁の背面側に突設形成された控え壁とを備えた大型擁壁用ブロックを鉄筋コンクリート基礎フーチング上面に配設し、この大型擁壁用ブロックの上面に、この大型擁壁用ブロックよりも控え壁の背面側突設長さが短く形成された複数の擁壁用ブロックを複数段に積層して構築させ、
　前記大型擁壁用ブロックの控え壁の端部には、両側方向へ膨出した膨拡壁が設けられ、
　少なくとも、この膨拡壁内には、上下面に連通した鉄筋挿入用大径孔が開孔され、
　更に、最も前壁側に近い控え壁には鉄筋挿入用小孔が設けられると共に、この小孔と大径孔との中間位置には前記小孔よりも大きく、かつ、大径孔より小さい中径孔を備え、
　前記最も前壁側に近い控え壁に設けられた小孔は、大型擁壁用ブロック及びその上面側に積層される複数の擁壁用ブロックの最も前壁側に近い控え壁に設けられた小孔と直状に連通する連通孔を形成するように位置決め積層され、鉄筋コンクリート基礎フーチングより突設されたアンカー鉄筋及び鉄筋コンクリート基礎フーチング上面に載設された各擁壁用ブロックを連結する連結鉄筋とを、この連通孔内に連結挿通させて上下の擁壁用ブロックを一体連結させ、
　前記大型擁壁用ブロックの上面に積層される擁壁用ブロックのうち、該大型擁壁用ブロックの直上段には、この大型擁壁用ブロックよりも控え壁の背面側突設長さが短く形成された２次大型擁壁用ブロックが載設され、この２次大型擁壁用ブロックの膨拡壁は前記大型擁壁用ブロックの膨拡壁よりも小さく形成され、かつ、２次大型擁壁用ブロックの２次大径孔は大型擁壁用ブロックの大径孔よりも小さく形成され、更に、同２次大径孔は大型擁壁用ブロックの大径孔の概ね前壁側略前半部に位置するように積層形成されて成る擁壁の構築構造。
　【請求項５】　前記膨拡壁内に設けた大径孔、控え壁に設けた中径孔あるいは小径孔の内面側には、挿入される鉄筋や充填材等を強固に連結固定するための凹凸、または凹凸溝が設けられて成る請求項４記載の擁壁の構築構造。
　【請求項６】　前記大型擁壁用ブロック、２次大型擁壁用ブロックさらにその上段に積層された複数の擁壁用ブロックの前記鉄筋挿入用大径孔、鉄筋挿入用小孔、中径孔、２次大径孔は、それらの孔の内部上縁側から下縁側へ向けて孔径が小さくなるようなテーパ孔として形成されて成る請求項４または５記載の擁壁の構築構造。
【発明の詳細な説明】
　【０００１】
　【産業上の利用分野】
　本発明は、擁壁用ブロック、及び擁壁の構築構造に関するものである。
　【０００２】
　【従来の技術】
　近年、道路、海岸、河川岸等に構築する擁壁構造として、土中に打設した基礎フーチングにＴ型ブロックを所定の高さ積層したものが構築されている。このＴ型ブロックにおいては前壁の背面に突設された控え壁に複数の鉄筋挿入用孔が設けられ、この控え壁を上下段のブロックで重合させながら相互に連通した鉄筋挿入孔に基礎フーチングより突設したアンカー鉄筋を挿入し、中間部や上部位置においてはアンカー鉄筋に連結された連結鉄筋を挿入し、同時にモルタルまたはコンクリートの様な充填材を充填して上下段に積層した複数のブロックを基礎フーチングに一体連結させながら所定高さにブロックを積層した擁壁構造が構築されている。
　【０００３】
　【発明が解決しようとする問題点】
　しかしながら、擁壁に作用する土圧は上部位置から下部位置になるに従って増大するため、最下部域においてはブロックの形状が大形で断面性能に優れたブロックが必要であるが、既存の擁壁構造においては、単に大形擁壁用ブロックを積層するのみで、ブロック内における鉄筋配置にも問題があって断面性能が低く、そのために構築高さも略十メートル以下であり、十メートル以上の高い擁壁を構築できない欠点がある。また、上下段に積層したブロックの接合部において、鉄筋挿入孔に挿入された鉄筋が片寄りして充填されたモルタルやコンクリートの鉄筋に対する「かぶり」が薄くなり、更に固化したモルタルやコンクリートのブロックに対する付着力も弱体化してブロックの上下段接合部の耐力も弱体で安定性がないものであり、従って、既製品としてブロックを現場に搬入し、構造理論上の諸条件を満足する範囲内で運搬や施工能率に優れ、擁壁自体としても強い抵抗力を発揮する様な擁壁用ブロック及び擁壁の構築構造が嘱望されていた。
　【０００４】
　本発明は上記従来の問題点に鑑みてなされたものであり、その目的は、断面性能に優れて構造理論上の諸条件を満足しながら略十メートル以上の所望の高さまで擁壁を構築でき、かつブロック自体も軽量で現場への搬送、施工性に優れ、かつ基礎と一体化した剛体として形成できる擁壁用ブロック及び擁壁の構築構造を提供することにある。
　【０００５】
　【問題点を解決するための手段】
　上記目的を達成するために、本発明は、前壁１４と、この前壁１４の背面側に突設形成された控え壁１６とを備え、前記控え壁１６の端部には、両側方向へ膨出した膨拡壁２２が設けられ、少なくとも、この膨拡壁２２内には、上下面に連通した鉄筋挿入用大径孔２４が開孔され、前記前壁１４と、控え壁１６内には結合鉄筋３２が配設され、同結合鉄筋は前壁１４から同控え壁１６の後部の膨拡壁２２にかけて配設された第１結合鉄筋群３４ａと、この第１結合鉄筋群３４ａの高さ方向に交互に設けられ前壁１４から膨拡壁２２にかけて配設された第２結合鉄筋群３４ｂとを備え、前記第１および第２結合鉄筋群のおのおのは、控え壁と膨拡壁との接続部の近傍位置において交差するように配筋されてクロス鉄筋層４２を形成し、前記鉄筋挿入用大径孔２４ａは、それらの孔の内部上縁側から下縁側へ向けて孔径が小さくなるようなテーパ孔として形成されて成る擁壁用ブロックＡから構成される。
　【０００６】
　また、前壁１４と、この前壁１４の背面側に突設形成された控え壁１６とを備え、前記控え壁１６の端部には、両側方向へ膨出した膨拡壁２２が設けられ、少なくとも、この膨拡壁２２内には、上下面に連通した大径孔２４が開孔され、前記前壁１４と、控え壁１６内に配設される結合鉄筋３２は、前壁から同控え壁の後部の膨拡壁２２にかけて配設された第１結合鉄筋群３４ａと、この第１結合鉄筋群３４ａの高さ方向に交互に設けられ前壁から膨拡壁にかけて配設された第２結合鉄筋群３４ｂとを有し、控え壁と膨拡壁との接続部の近傍位置において交差するように配筋されてクロス配筋層４２を形成すると共に、このクロス配筋層４２の高さ方向に交互に設けられ、前壁から同控え壁の後部の膨拡壁にかけて配設された第３結合鉄筋群３４ｃと、この第３結合鉄筋群３４ｃの高さ方向に交互に設けられ前壁から膨拡壁にかけて配設された第４結合鉄筋群３４ｄとからなる対向配筋層４４とを有し、前記大径孔２４は、それらの孔の内部上縁側から下縁側へ向けて孔径が小さくなるようなテーパ孔として形成されて成る擁壁用ブロックＡから構成される。
　【０００７】
　また、前壁１４と、この前壁１４の背面側に突設形成された控え壁１６とを備え、前記控え壁１６の端部には、両側方向へ膨出した膨拡壁２２が設けられ、この膨拡壁２２内には、上下面に連通した鉄筋挿入用大径孔２４が開孔されると共に、前記控え壁１６には、上下面に連通した鉄筋挿入用の複数の孔が開孔され、これらの孔の上下端面側には同孔より拡径するようにテーパ面４６が設けられ、前記鉄筋挿入用大径孔２４ａ或いはその他の鉄筋挿入用の複数の孔２４ｂ、２６、２８は、それらの孔の内部上縁側から下縁側へ向けて孔径が小さくなるようなテーパ孔として形成されて成る擁壁用ブロックＡから構成される。
　【０００８】
　次に、前壁１４と、この前壁１４の背面側に突設形成された控え壁１６とを備えた大型擁壁用ブロックＡ１を鉄筋コンクリート基礎フーチング１２上面に配設し、この大型擁壁用ブロックＡ１の上面に、この大型擁壁用ブロックよりも控え壁の背面側突設長さが短く形成された複数の擁壁用ブロックＡ２、Ａ３、Ａ４を複数段に積層して構築させ、前記大型擁壁用ブロックの控え壁の端部には、両側方向へ膨出した膨拡壁２２が設けられ、少なくとも、この膨拡壁２２内には、上下面に連通した鉄筋挿入用大径孔２４が開孔され、更に、最も前壁側に近い控え壁には鉄筋挿入用小孔２６が設けられると共に、この小孔２６と大径孔２４との中間位置には前記小孔２６よりも大きく、かつ、大径孔２４より小さい中径孔２８を備え、前記最も前壁側に近い控え壁に設けられた小孔２６は、大型擁壁用ブロックＡ１及びその上面側に積層される複数の擁壁用ブロックＡ２、Ａ３、Ａ４の最も前壁側に近い控え壁１６に設けられた小孔２６と直状に連通する連通孔を形成するように位置決め積層され、鉄筋コンクリート基礎フーチング１２より突設されたアンカー鉄筋１８及び鉄筋コンクリート基礎フーチング１２上面に載設された各擁壁用ブロックを連結する連結鉄筋２０とを、この連通孔内に連結挿通させて上下の擁壁用ブロックを一体連結させ、前記大型擁壁用ブロックＡ１の上面に積層される擁壁用ブロックのうち、該大型擁壁用ブロックＡ１の直上段には、この大型擁壁用ブロックＡ１よりも控え壁１６の背面側突設長さが短く形成された２次大型擁壁用ブロックＡ２が載設され、この２次大型擁壁用ブロックの膨拡壁１６は前記大型擁壁用ブロックＡ１の膨拡壁１６よりも小さく形成され、かつ、２次大型擁壁用ブロックの２次大径孔２４ｂは大型擁壁用ブロックの大径孔２４ａよりも小さく形成され、更に、同２次大径孔は大型擁壁用ブロックの大径孔の概ね前壁１４側略前半部に位置するように積層形成されて成る擁壁の構築構造から構成される。
　【０００９】
　また、前記擁壁の構築構造であって、前記膨拡壁１６内に設けた大径孔２４ａ、２４ｂ、控え壁１６に設けた中径孔２６あるいは小径孔２８の内面側には、挿入される鉄筋や充填材等を強固に連結固定するための凹凸、または凹凸溝５４が設けられて成ることとしてもよい。
　【００１０】
　また、前記擁壁の構築構造であって、前記大型擁壁用ブロックＡ１、２次大型擁壁用ブロックＡ２さらにその上段に積層された複数の擁壁用ブロックＡ２、Ａ３、Ａ４の前記鉄筋挿入用大径孔２４ａ、鉄筋挿入用小孔２８、中径孔２６、２次大径孔２４ｂは、それらの孔の内部上縁側から下縁側へ向けて孔径が小さくなるようなテーパ孔として形成してもよい。
　【００１１】
　【作用】
　本発明の擁壁用ブロック及び擁壁の構築構造においては、打設した基礎フーチング１２の上面に突設されたアンカー鉄筋１８の位置に大型擁壁用ブロックＡ１を積層させ、連通した各各鉄筋挿入用大径孔２４ａ、中径孔２８、小孔２６内にアンカー鉄筋１８や連結鉄筋２０を嵌合させて充填材を充填固化させて擁壁の下層部を構築し、更にこの上面に２次大型擁壁用ブロックＡ２を同様に積層して擁壁の中層部を構築する。更に中型擁壁用ブロックＡ３で上層部を、小型擁壁用ブロックＡ４を構築して最上部を構築するものであり、下層部から中層部において各ブロックの控え壁１６の大径孔２４内の鉄筋や充填材が基礎フーチング１２に連設されたコンクリート柱として各積層された前壁１４を保持しつつ土圧による前壁１４の破壊などを防止でき、特に、もっとも前壁側に位置する控え壁に設けた小孔を下段の大型ブロックから最上段のブロックまで直状の連通孔を形成させて連結鉄筋等を挿通させているので、擁壁全体として一つの剛体を形成でき、従来よりも更に高い擁壁高さに構築できる。また、ブロックそのものについてクロス配筋層、あるいは、クロス配筋層と対向配筋層を交互に高さ方向に積層させているので抗縮力、抗張力に優れた高耐圧の擁壁ブロックを形成できる。
　【００１２】
　【実施例】
　以下、本発明の好適な実施例を添付図面に基づき詳細に説明する。図１、図２には、本発明の実施例に係る擁壁用ブロックＡを用いて構築した擁壁（擁壁構築構造）１０が示されている。図より明らかな様に、前記擁壁１０は、鉄筋コンクリート基礎フーチング１２の上面に大型擁壁用ブロックＡ１が５段に積層形成された擁壁１０の下層部を含む。この大型擁壁用ブロックＡ１は後述する前壁１４の背面に控え壁１６を突設固定させて形成されている。また、この大型擁壁用ブロックＡ１の上面には、控え壁１６の長さが短く形成された後述する２次大型擁壁用ブロックＡ２が４段に積層され、いわば擁壁１０の中層部を形成している。さらに、この中層部の上面に控え壁１６の長さが更に短く形成された後述する中型擁壁用ブロックＡ３が３段に積層されて擁壁１０の上層部が構築され、更に、この上層部の上面に控え部１６の長さが最も短く形成された後述する小型擁壁用ブロックＡ４が３段に積層されて擁壁１０の最上層部が構築されている。
　【００１３】
　前記鉄筋コンクリート基礎フーチング１２と大型擁壁用ブロックＡ１とが鉄筋コンクリート基礎フーチング１２に突設されたアンカー鉄筋１８で、また各大型擁壁用ブロックＡ１、２次大型擁壁用ブロックＡ２、中型擁壁用ブロックＡ３、小型擁壁用ブロックＡ４は相互に連結鉄筋２０等で一体的に連結構築され、これにより擁壁１０は鉄筋コンクリート基礎フーチング１２と各擁壁用ブロックＡとが一体的に連結されて強度に優れた剛体として作用しながら擁壁１０の背面からの土圧に抵抗できることとなる。なお、前記各擁壁用ブロックＡの積上げ段数は上記実施例に限定されることなく、擁壁１０の高さによって任意の段数に積上げるものである。本発明に係る擁壁用ブロックＡは例えば上記した擁壁構築構造１０などに組み込まれて使用されるものである。
　【００１４】
　図３ないし図１２において、本発明の実施例に係る擁壁用ブロックＡが示されており、図より明らかな様に、このブロックＡは、鉄筋コンクリートでもって、横長の矩形状に形成された前壁１４と、この前壁１４の背面側の両端寄り位置に突設固定された控え壁１６、１６とを備えている。この各控え壁１６の端部には、両側方向へ膨出する様に膨拡壁２２ａが設けられており、この前壁１４と控え壁１６、１６及び各控え壁端部に形成された膨拡壁２２ａにより囲繞空間を形成することとなり、この擁壁ブロックＡを用いて擁壁を構築した際にこの空間内に補強材を充填することにより断面性能等もより向上することとなる。前記膨拡壁２２ａ内には、略方形状に形成された鉄筋挿入用大径孔２４ａが上下面に連通して開孔されている。
　【００１５】
　更に各控え壁１６の前壁１４に近い位置には上下面に連通した鉄筋挿入用小孔２６、２６が開孔され、この小孔２６と前記大径孔２４ａの中間位置には前記小孔２６より大きく、かつ大径孔２４ａより小さい鉄筋挿入用中径孔２８が開孔されている。この鉄筋挿入用中径孔２８は、平面視控え壁１６の長手方向に長く形成された縦長孔として形成されている。これにより、控え壁１６に形成される孔に挿入される鉄筋数を増加させることができ、かつ、控え壁１６の長手方向に長く形成して同方向に多く配筋されるので抗縮力、抗張力双方ともに高耐圧のブロック構造に形成できることとなる。
　【００１６】
　また、膨拡壁２２ａに鉄筋挿入用大径孔２４ａを開孔したことによって、控え壁１６に膨拡壁２２ａを連設した割にはブロック全体の重量が増加することなく、例えばこのブロックＡを鉄筋コンクリート基礎フーチングの上面に配置する大型擁壁ブロックとして形成する様な場合には、この鉄筋挿入用大径孔２２ａ内に鉄筋コンクリート基礎フーチング１２のアンカー鉄筋１８を略２０本以上挿入連結できて鉄筋コンクリート基礎フーチング１２に強固に連結できる。
　【００１７】
　図６ないし図１２の配筋図に示す様に、擁壁用ブロックＡの前壁１４内には、網型鉄筋３０が配筋され、前記前壁１４から控え壁１６内へ結合鉄筋３２が配設されている。この結合鉄筋３２は、前壁１６から膨拡壁２２ａにかけ、かつ高さ方向に複数配設された第１結合鉄筋群３４ａと、この第１結合鉄筋群３４ａの高さ方向に交互に設けられ前壁１４から膨拡壁２２ａにかけて配設された第２結合鉄筋群３４ｂとを備えている。
　【００１８】
　図９、図１０に示す様に、前記第１結合鉄筋群３４ａの各鉄筋素子は、その一端部に前壁１４内の網型鉄筋３０に筋結するための曲折部３６ａと、控え壁１６に沿った直状部３８ａと、膨拡壁２２ａに沿って平面視反時計方向に曲折されたＺ形曲折部４０ａとから成り、また、前記第２結合鉄筋群３４ｂの各鉄筋素子は、前記第１結合鉄筋群３４ａの各鉄筋素子と対称に形成された曲折部３６ｂと、直状部３８ｂと、膨拡壁２２ａに沿って平面視時計方向に周回曲折された逆Ｚ形曲折部４０ｂとから成る。そして、前記第１および第２結合鉄筋群３４ａ、３４ｂの各鉄筋素子は、控え壁１６と膨拡壁２２ａとの接続部の近傍位置において交差Ｋするように配筋されてクロス鉄筋層４２を形成している。
　【００１９】
　このクロス鉄筋層４２が前壁１４から控え壁１６へ配筋されたことにより、前記のように擁壁構造の下層部等に使用する場合には、擁壁用ブロックＡは、前壁１４へ大きな土圧が作用し、鉄筋コンクリート基礎フーチング１２に固定された控え壁１６に引張力が作用しても、前記クロス鉄筋層４２により内部方向へと反力が作用してこの擁壁用ブロックＡ自体の強度を飛躍的に向上させ得ると共に、同擁壁用ブロックＡを用いた擁壁構築構造においては、それらの総体的な抗張力として機能し得るので擁壁全体の強度を増強し得ることとなる。これについては、後述するように対向配筋層４４とクロス鉄筋層４２とを高さ方向に交互に配筋した場合には、控え壁１６の破断を防止でき、これによって擁壁用ブロックＡは大きな土圧力に十分に耐え得ることとなる。
　【００２０】
　この実施例においては、図１１、図１２に示す様に、クロス配筋層４２の高さ方向に対向配筋層４４を交互に配設するものである。この対向配筋層４４は、前壁１４の背面の略控え壁１６から膨拡壁２２ａにかけて配設された第３結合鉄筋群３４ｃと、この第３結合鉄筋群３４ｃの高さ方向に交互に設けられ前壁１４から膨拡壁２２ａにかけて配設された第４結合鉄筋群３４ｄとからなるものである。
　【００２１】
　すなわち、前記第３結合鉄筋群３４ｃの各鉄筋素子は、その一端部に前壁１４内の網型鉄筋３０に筋結するための曲折部３６ｃと、控え壁１６に沿った直状部３８ｃと、膨拡壁２２ａに沿って平面視時計方向に曲折されたフック形曲折部４０ｃとから成り、また、第４結合鉄筋群３４ｄの各鉄筋素子は、前記第３結合鉄筋群３４ｃの各鉄筋素子と対称に形成された曲折部３６ｄと、直状部３８ｄと、膨拡壁２２ａに沿って平面視反時計方向に曲折された逆フック形曲折部４０ｄとから形成されている。
　【００２２】
　従って、前壁１４から控え壁１６並びに膨拡壁２２ａ内ヘクロス鉄筋層４２と、対向配筋層４４との各鉄筋素子を高さ方向に交互に配筋することにより、擁壁用ブロックＡは、前壁１４へ大きな土圧が作用し、例えば鉄筋コンクリート基礎フーチング１２に固定された控え壁１６に引張力が作用して対向配筋層４４のフック形曲折部４０ｃと逆フック形曲折部４０ｄとが外側方向へ膨出しようとしても、前記クロス鉄筋層４２の交差Ｋした各鉄筋素子のＺ形曲折部４０ａと逆Ｚ形曲折部４０ｂとに内側方向への力が作用してこれを吸収し、控え壁１６の破断を防止できることとなる。
　【００２３】
　また、本発明の実施例に係る擁壁用ブロックＡについては、図３、図５に示す様に、膨拡壁２２ａ内に開孔した鉄筋挿入用大径孔２４ａや、控え壁１６に開孔した鉄筋挿入用の複数の孔の端面側に、同孔より拡径するようにテーパ面４６が設けられている。このテーパ面４６を形成することにより、特に、擁壁ブロック同士を接合する接合面がこのテーパ面４６どうしで密着接合することとなり、これによって、断面略菱形の周縁形状が形成されて、充填物としてのモルタルコンクリートの充填容量が増加し、いわゆる適正な「かぶり」に対応する構築物強度の補強を行なうこととなる。
　【００２４】
　また、図６、図７に示す様に、前記前壁１４内の網型鉄筋３０の前面側には、この網型鉄筋３０の各鉄筋より直径が大きい大型の抗縮鉄筋４７の複数個を縦方向に配設させてもよい。一般に擁壁の前面側には背面側の引張力に釣合った強い圧縮力を生じるものであり、この圧縮力に見合った抗縮力が必要である。従って、擁壁用ブロックＡは、前記大型の抗縮鉄筋４７を前壁１４内の前面側に配設したことにより、ブロックＡの前壁１４に加わる大きな抗縮力に耐えることができ、構築する擁壁の強度を向上できることとなる。
　【００２５】
　以上説明した擁壁用ブロックについては実施例のごとく、大型擁壁用ブロックに限定されることなく、それ自体単体として上述した顕著な作用効果を有することからその上面側に積層使用される中層、あるいは、上層部等の擁壁ブロックについて使用しても良い。
　【００２６】
　次に、本発明に係る擁壁の構築構造１０について説明すると、この実施例において、前記図３から図１２までに示した擁壁用ブロックが大型擁壁用ブロックＡ１として使用される。図１、図２に示す様に、前壁１４と、この前壁１４の背面側に突設形成された控え壁１６を備えた大型擁壁用ブロックＡ１を鉄筋コンクリート基礎フーチング１２上面に略５段程度積上げ配設して擁壁の構築構造１０の下層部を構築する。この積層した大型擁壁用ブロックＡ１の上面に、この大型擁壁用ブロックＡ１よりも控え壁１６の背面側突設長さが短く形成された２次大型擁壁用ブロックＡ２、中型擁壁用ブロックＡ３、小型擁壁用ブロックＡ４等の擁壁用ブロックを各々複数個ずつ積層して構築する。
　【００２７】
　図１３ないし図２０には、前記大型擁壁用Ａ１の上面に積層して擁壁の構築構造１０の中層部を構築するための２次大型擁壁用ブロックＡ２が示されている。この２次大型擁壁用ブロックＡ２は、横長矩形状の前壁１４と、この前壁１４の背面側の両端寄り位置に突設固定された控え壁１６、１６と、を備え、この各控え壁１６の端部には、両側方向へ膨出する様に膨拡壁２２ｂが設けられている。この膨拡壁２２ｂは、前記大型擁壁用ブロックＡ１の控え壁１６の端部の膨拡壁２２ａより長さが小さく形成され、かつ前記膨拡壁２２ｂ内には２次大径孔２４ｂが開孔されている。この２次大径孔２４ｂは大径孔２４ａより小さく、ブロックの相互を接合させたときに、前記２次大径孔２４ｂは大型擁壁用ブロックＡ１の大径孔２４ａよりも小さく形成され、更に、同２次大径孔２４ｂは、大型擁壁用ブロックＡ１の大径孔２４ａの概ね前壁１４側の略前半部に位置するように積層形成されている。これによって、下部側にゆくにしたがって１次直線的に増大する土圧により２次曲線的に増大する断面力を備える必要があり、経済性をも考慮しつつ三角状の擁壁用ブロックを形成せねばならないという必然性を満足すると同時に膨拡壁２２ｂ内で大型擁壁用ブロッックＡ１と２次大型擁壁用ブロックＡ２とを連通させるという条件を満足でき、完成度の高い擁壁構造を構築するものである。
　【００２８】
　また、前記２次擁壁用ブロックＡ２の各控え壁１６の前壁１４に近い位置には上下面に連通した鉄筋挿入用小孔２６、２６が開孔され、この小孔２６と前記２次大径孔２４ｂの中間位置には前記小孔２６より大きく、かつ大径孔より小さい鉄筋挿入用中径孔２８が開孔されている。そして、もっとも前壁１４側に近い控え壁１６側に設けられた小孔２６は大型擁壁用ブロックＡ１及びその上面側に積層される複数の擁壁用ブロックのもっとも前壁１４側に近い控え壁１６に設けられた小孔２６と直状に連通する連通孔を形成するように位置決め積層されている。
　【００２９】
　また、鉄筋コンクリート基礎フーチング１２より突設されたアンカー鉄筋１８及び鉄筋コンクリート基礎フーチング１２上面に載設された各擁壁用ブロックを連結する連結鉄筋２０とを、この連結孔内に連結挿通させ、更に、上下の擁壁用ブロックを一体連結させている。このように、大型擁壁用ブロックＡ１と２次大型擁壁用ブロックＡ２とは相互に位置合わせ接合したとき大径孔２４ａと２次大径孔２４ｂとは相互に連通し、また、控え壁１６に設けた鉄筋挿入用の小孔２６、中径孔２８等も相互に連通し、この連通した孔内に連結鉄筋２０を挿入してモルタルの様な充填材を充填固化させることにより、２次大型擁壁用ブロックＡ２は大型擁壁用ブロックＡ１に強固に連結される。すなわち、前壁側からもっとも土圧が作用する控え壁１６の端部側にかけて順に抗張力及び抗縮力が作用し得る様に挿入でき、擁壁全体の剛体を向上させ得ると同時に構造全体の靭性をも向上させるので従来の限度高さよりも更に高い擁壁が構築できるものである。
　【００３０】
　前述のように、鉄筋挿入用中径孔２８は、平面視控え壁１６の長手方向に長く形成された縦長い孔として形成されている。これにより、控え壁１６に形成される孔に挿入される鉄筋数を増加させることができ、かつ、控え壁１６の長手方向に長く形成して同方向に多く配筋されるので抗縮力、抗張力双方ともに高耐圧の擁壁構造が構築できることとなる。
　【００３１】
　また、図１６ないし図２０の鉄筋配筋図に示す様に、前記前壁１４内には網型鉄筋３０が配筋され、前壁１４内から控え壁１６並びに膨拡壁２２ｂへ結合鉄筋３２が配筋されている。前記結合鉄筋３２は、図１９、図２０に示す様に、高さ方向に配筋された第１鉄筋群３４ａと、第２鉄筋群３４ｂより成り、前記第１、第２鉄筋群３４ａ、３４ｂの各鉄筋素子は、その一端部に前壁１４内の網型鉄筋３０に筋結するための曲折部３６ａ、３６ｂと、控え壁１６に沿った直状部３８ａ、３８ｂと、膨拡壁２２ｂに沿って平面視時計方向に曲折されたフック形曲折部４０ｃと、平面視反時計方向に曲折されたフック形曲折部４０ｄとから成る。これにより、２次大型擁壁ブロックＡ２の控え壁１６並びに端部の膨拡壁２２ｂも土圧に対する抗張力が大きくなり、耐力に優れた擁壁中層部を構築できることとなる。
　【００３２】
　また、前記大型擁壁用ブロックＡ１、２次擁壁用ブロックＡ２において、各控え壁１６の端部に設けた膨拡壁２２ａ、２２ｂに設けられた大径孔２４ａ、２４ｂは、控え壁１６の厚さ幅よりも大きな辺又は径を有するように形成するものであり、これにより膨拡壁２２ａ、２２ｂ内に多くの抗張用鉄筋を挿入してモルタルやコンクリートを充填個化させたときに、上下方向に連通した大径孔２４ａ、２次大径孔２４ｂがコンクリート柱状となって控え壁１６を支持し、控え壁１６に連設された前壁１４の抗耐力を強く保持できる。つまり、擁壁の背面側から前壁１４側への土圧のみならず、擁壁全体の左右方向からの抗縮力、抗張力も増強できるのである。更に、図１６にも示す様に、この２次擁壁用ブロックＡ２についても、擁壁用ブロックＡと同様に、膨隔壁２２ｂ内に開孔した鉄筋挿入用大径孔２４ｂや、控え壁１６に開孔した鉄筋挿入用の複数の孔の上下端面側には同孔より拡径する様にテーパ面４６が形成されており、これによって、擁壁ブロック同士を接合する接合面がこのテーパ面４６どうしで密着接合することとなり、断面略菱形の周縁形状が形成されて、充填物としてのモルタルやコンクリートの充填容量が増加し、いわゆる適正な「かぶり」に対応する構築物強度の補強を行なうものである。
　【００３３】
　また、図２１ないし図２４には、擁壁の構築構造１０の上層部を構築する中型擁壁用ブロックＡ３が示されている。この中型擁壁用ブロックＡ３は、前記大型擁壁用ブロックＡ１と同じ形状の前壁１４を有し、この前壁１４の背面側の両端寄り位置に背面側突出長さが短い控え壁１６、１６が突出されている。この前壁１４内には網型鉄筋３０が配筋され、更にこの網型鉄筋３０に筋結された結合鉄筋３２が控え壁１６内に配筋されている。図２４に示す様に、前記結合鉄筋３２の各鉄筋素子は細長いＵ型状に形成されている。更に控え壁１６、１６において前壁１４寄り位置には鉄筋挿入用小孔２６が開孔され、端部寄り位置に中径孔２８が開孔されている。図２２に示す様に、この中型擁壁用ブロックＡ３についても、中径孔２８、各小孔２６の鉄筋挿入用の複数の孔の上下端面側には同孔より拡径する様にテーパ面４６が形成されており、前記したような充填物としてのモルタルやコンクリートの充填容量が増加し、いわゆる適正な「かぶり」に対応する構築物強度の補強を行なえる。
　【００３４】
　また、図２５ないし図２８には、擁壁の構築構造１０の最上層部を構築する小型擁壁用ブロックＡ４が示されている。この小型擁壁用ブロックＡ４は、大型擁壁用ブロックＡ１と同じ形状の前壁１４を有し、この前壁１４の背面側の両端寄り位置に背面側突出長さが更に短い控え壁１６、１６が突出されている。この前壁１４内には同じく網型鉄筋３０が配筋され、更にこの網型鉄筋３０に筋結された結合鉄筋３２が控え壁１６内に配筋されている。図２５に示す様に、前記結合鉄筋３２の各鉄筋素子は短いＵ型状に形成されている。更に控え壁１６、１６には鉄筋挿入用小孔２６が開孔されている。図２６に示す様に、この小型擁壁用ブロックＡ４についても、鉄筋挿入用小孔２６の上下端面側には同孔より拡径する様にテーパ面４６が形成されていることが好ましく、これによって充填物としてのモルタルやコンクリートの充填容量が増加し、いわゆる適正な「かぶり」に対応する構築物強度の補強を行なえる。
　【００３５】
　擁壁の構築構造１０の基礎である鉄筋コンクリート基礎フーチング１２は、図１、図２に示す様に、擁壁の構築構造１０本体の前面側を支持する前趾部４８と、その後面側を支持する後趾部５０とを含む様に鉄筋コンクリートで構築され、この前趾部４８には、同前趾部４８下面から更に下方に延設された脚部５２を備えることが好ましい。この脚部５２で鉄筋コンクリート基礎フーチング１２を支持したことにより、鉄筋コンクリート基礎フーチング１２の下面を掘削する必要ながなく、傾斜地、特に急傾斜地においては擁壁背面側の掘削土量を極端に少なくすることができ、また、擁壁の躯体そのものも高さを低くでき、その分だけ施工経費及び材料費を節約できることとなる。
　【００３６】
　また、図２９に示す用に、前記各大型擁壁用ブロックＡ１、２次大型擁壁用ブロックＡ２、中型擁壁用ブロックＡ３、小型擁壁用ブロックＡ４等において、必要に応じて前記膨拡壁２２内に設けた大径孔２４、控え壁１６に設けた中径孔２８や小径孔２６の内面側には挿入される鉄筋や充填材等を強固に連結固定するために、各孔の円周面に凹凸または凹凸溝５４を設けることが好ましい。そして、溝のピッチ間隔は、任意に設定してもよく、図示よりも大きな溝幅とした場合でも優れた剛体を形成でき、所期の目的を達成できる。これにより、内部に充填したモルタルの様な充填材は各ブロックに一体に付着して各ブロックの連設強度が大きくなる。
　【００３７】
　さらに、本実施例においては大型擁壁用ブロックの膨拡壁に開孔させた鉄筋挿入用大径孔２４ａ、大型、中型、及び小型擁壁用ブロックの鉄筋挿入用小孔２６、鉄筋挿入用中径孔２８、２次大型擁壁用ブロックＡ２の２次大径孔２４ｂは、それらの孔の内部上縁側から下縁側へ向けて孔径が小さくなるようなテーパ孔として形成されている。図３０には理解を容易にすべく誇張したテーパ角（度）θを図示している。
　【００３８】
　即ち、本実施例において例えば図３、図４に示す大型擁壁用ブロックＡ１の前壁１４の幅Ｗは２０００ｍｍ、控え壁１６側の奥行きＤは１６００ｍｍであり、かつ、高さＨは１０００ｍｍとして構成されているが、その孔の直径は上縁側が３００ｍｍに対して下縁側は２９０ｍｍに設定されている。また、中、小型擁壁用ブロックの鉄筋挿入用小孔、中孔では高さＨが１０００ｍｍに対し上縁直径が１００ｍｍに対して下縁では９４ｍｍに設定されている。
　【００３９】
　上記の例では、テーパ角θとしては、約ｔａｎ０．２゜ないしｔａｎ０．３゜のテーパ勾配であるが、このテーパ度は上記の数値にのみ限定されることなく、各構築現場の擁壁構造に対応して任意に設定してもよい。このように、大型、２次大型、中型及び小型のようにブロックを積層する事により、上下に隣接する各ブロックの接合面で上方への引張力に対しても耐圧性の高い構造となる。即ち、各ブロックの接合面において土圧による剪断力に抗するところの剪断抵抗が大きなものとなっている。従って、土圧が構築された擁壁の控え壁１６側から前壁１４側にかかり擁壁の上方である小型擁壁用ブロックＡ４側を前方側（道路側）に押圧する方向にかかると、大型或いは２次大型擁壁用ブロックＡ１、Ａ２側には各孔から鉄筋を上方に引張する方向に引張力が負荷される。この時、上縁より下縁の孔径が小さいようにテーパ孔として形成しているのでこの引張力に対しても大きな強度を保持できるものである。特に、これらのブロックを積層形成した場合には上下隣接の各ブロック接合面でこの対引張力を生じ、擁壁全体が靱性にもより優れたものとできる。更に、上記の様なブロックの上面から下面にかけて孔径が小さくなるような上拡がりのテーパ孔構造と共に、前述した様に、大型擁壁ブロックＡ１、及びその上層段に積層される２次擁壁用ブロックＡ２、中型擁壁用ブロックＡ３、小型擁壁用ブロックＡ４について膨隔壁２２ａ、２２ｂ内に開孔した鉄筋挿入用大径孔２４、２４ａ、２４ｂや、控え壁１６に開孔した鉄筋挿入用の複数の孔２８、２６の上下端面側には同孔より拡径する様にテーパ面４６を形成する場合には、擁壁ブロック同士の接合面を密着接合させつつ、充填物としてのモルタルやコンクリートの充填容量を増加させて適性な「かぶり」量を確保し、構築物強度の補強を行なうものであり、特に、各ブロック１個のサイズが１ｍ以上の高さや前壁幅、奥行き等を備えたもので擁壁を構築する際にはテーパ面４６による「かぶり」量の確保は極めて効果的なものとなり、上拡がりのテーパ角θと相まって大型擁壁構築構造において高い強度を保持し得るものである。尚、以上、構築構造については、大型擁壁用ブロックの上段には２次大型擁壁ブロック、中型擁壁ブロック、小型擁壁ブロックの３タイプのブロック積層構造により説明しているが、これに限ることなく、特許請求の範囲に記載した発明の本質を逸脱しない範囲において更に４、５、６或いはそれ以上のタイプのブロックを積層させてもよい。
　【００４０】
　また、前記擁壁の構築構造１０においては、前壁１４側に近い控え壁１６に設けられた小孔２６は、各積層された大型擁壁用ブロックＡ１、２次大型擁壁用ブロックＡ２及びその上面側に積層される複数の中型擁壁用ブロックＡ３、小型擁壁用ブロックＡ４等の最も前壁１４側に近い控え壁１６に設けられた小孔２６と直状に連通する連通孔を形成するように位置決め積層され、鉄筋コンクリート基礎フーチング１２より突設されたアンカー鉄筋１８及び鉄筋コンクリート基礎フーチング１２上面に載設された各擁壁用ブロックを連結する連結鉄筋２０とをこの連通孔内に連結挿通させて上下の各擁壁用ブロックを一体連結させて成るものである。これにより、前記した小孔２６が最下段から最上段までの擁壁用ブロックにおいて連通され、この内部に挿入されたアンカー鉄筋１８や連結鉄筋２０並びに充填材で強固に連結されて一体化された剛体となり、十メートル以上に擁壁１０を構築できることとなる。
　【００４１】
　上記した様に本発明の擁壁の構築構造１０は、例えば、打設した鉄筋コンクリート基礎フーチング１２の上面に突設されたアンカー鉄筋１８の位置に大型擁壁用ブロックＡ１を５段程度に積層させ、連通した各各鉄筋挿入用大径孔２４ａ、中径孔２８、小孔２６内にアンカー鉄筋１８や連結鉄筋２０を嵌合させて充填材を充填固化させて擁壁の下層部を構築し、更にこの上面に２次大型擁壁用ブロックＡ２を同様に４段程度積層して擁壁の中層部を構築し、更に中型擁壁用ブロックＡ３の３段程度で上層部を、小型擁壁用ブロックＡ４を３段程度構築して最上部を構築するものであり、下層部から中層部において各ブロックの控え壁１６の大径孔２４内の鉄筋や充填材が鉄筋コンクリート基礎フーチング１２に連設されたコンクリート柱として各積層された前壁１４を保持しつつ土圧による前壁１４の破壊などを防止でき、更に各控え壁１６に設けた鉄筋挿入用の中径孔２８、小孔２６等に嵌合された鉄筋や充填材で等で断面性能に優れて構造理論上の諸条件を満足しながら略十メートル以上の所望の高さまで擁壁を構築できることとなる。
　【００４２】
　更に、下層部や中層部を構築する大型擁壁用ブロックも形状の大きな膨拡壁内に大径孔を開孔しているため、形状の割には軽量で現場への搬送、施工性に優れ、基礎と一体化した剛体として形成できることとなる。なお、本発明の実施例に係る擁壁の構築構造として、高さ略１５メートルの擁壁を現場に構築することができた。
　【００４３】
　【発明の効果】
　以上説明したように、本発明の擁壁用ブロックによれば、前壁と、この前壁の背面側に突設形成された控え壁と、を備え、前記控え壁の端部には、両側方向へ膨出した膨拡壁が設けられ、少なくとも、この膨拡壁内には、上下面に連通した鉄筋挿入用大径孔が開孔され、前記前壁と、控え壁内には結合鉄筋が配設され、同結合鉄筋は前壁から同控え壁の後部の膨拡壁にかけて配設された第１結合鉄筋群と、この第１結合鉄筋群の高さ方向に交互に設けられ前壁から膨拡壁にかけて配設された第２結合鉄筋群とを備え、前記第１および第２結合鉄筋群のおのおのは、控え壁と膨拡壁との接続部の近傍位置において交差するように配筋されてクロス鉄筋層を形成し、前記鉄筋挿入用大径孔は、それらの孔の内部上縁側から下縁側へ向けて孔径が小さくなるようなテーパ孔として形成されて成る構成であるから、擁壁構造の下層部等に使用する場合には擁壁用ブロックＡは、前壁へ大きな土圧が作用し基礎フーチングに固定された控え壁に引張力が作用しても前記クロス鉄筋層により内部方向へと反力が作用してこの擁壁用ブロック自体の強度を飛躍的に向上させ得ると共に、控え壁側から前壁側への土圧即ち、上方への引張力に対して耐圧性の高い構築構造形成用のブロックを提供でき、かつ、同擁壁用ブロックを用いた擁壁構築構造においてはそれらの総体的な抗張力として機能させるので擁壁全体の強度を増強させることが可能である。
　【００４４】
　また、本発明の他の擁壁用ブロックによれば、前壁と、この前壁の背面側に突設形成された控え壁とを備え、前記控え壁の端部には、両側方向へ膨出した膨拡壁が設けられ、少なくとも、この膨拡壁内には、上下面に連通した大径孔が開孔され、前記前壁と、控え壁内に配設される結合鉄筋は、前壁から同控え壁の後部の膨拡壁にかけて配設された第１結合鉄筋群と、この第１結合鉄筋群の高さ方向に交互に設けられ前壁から膨拡壁にかけて配設された第２結合鉄筋群とを有し、控え壁と膨拡壁との接続部の近傍位置において交差するように配筋されてクロス配筋層を形成すると共に、このクロス配筋層の高さ方向に交互に設けられ、前壁から同控え壁の後部の膨拡壁にかけて配設された第３結合鉄筋群と、この第３結合鉄筋群の高さ方向に交互に設けられ前壁から膨拡壁にかけて配設された第４結合鉄筋群とからなる対向配筋層を有し、前記大径孔は、それらの孔の内部上縁側から下縁側へ向けて孔径が小さくなるようなテーパ孔として形成されて成る構成であるから、擁壁用ブロックは、前壁へ大きな土圧が作用し例えば基礎フーチングに固定された控え壁に引張力が作用して外側方向へ膨出しようとしてもクロス鉄筋層により、内側方向への力が作用してこれを吸収し、控え壁の破断を防止できるとともに、テーパ孔により、控え壁側から前壁側への土圧即ち、上方への引張力に対して耐圧性の高い構築構造形成用のブロックを提供し得る。
　【００４５】
　また、本発明の他の擁壁用ブロックによれば、前壁と、この前壁の背面側に突設形成された控え壁とを備え、前記控え壁の端部には、両側方向へ膨出した膨拡壁が設けられ、この膨拡壁内には、上下面に連通した鉄筋挿入用大径孔が開孔されると共に、前記控え壁には、上下面に連通した鉄筋挿入用の複数の孔が開孔され、これらの孔の上下端面側には同孔より拡径するようにテーパ面が設けられ、前記鉄筋挿入用大径孔或いはその他の鉄筋挿入用の複数の孔は、それらの孔の内部上縁側から下縁側へ向けて孔径が小さくなるようなテーパ孔として形成されて成る構成であるから、擁壁ブロックどうしを接合する接合面がこのテーパ面どうしで密着接合することとなり、充填物としてのモルタルまたはコンクリートの充填容量が増加し、いわゆる適正なかぶりに対応する構築物強度の補強を行なえると同時に、控え壁側から前壁側への土圧即ち、上方への引張力に対して耐圧性の高い構築構造形成用のブロックを提供し得る。
　【００４６】
　また、本発明の擁壁の構築構造によれば、前壁と、この前壁の背面側に突設形成された控え壁とを備えた大型擁壁用ブロックを鉄筋コンクリート基礎フーチング上面に配設し、この大型擁壁用ブロックの上面に、この大型擁壁用ブロックよりも控え壁の背面側突設長さが短く形成された複数の擁壁用ブロックを複数段に積層して構築させ、前記大型擁壁用ブロックの控え壁の端部には、両側方向へ膨出した膨拡壁が設けられ、少なくとも、この膨拡壁内には、上下面に連通した鉄筋挿入用大径孔が開孔され、更に、最も前壁側に近い控え壁には鉄筋挿入用小孔が設けられると共に、この小孔と大径孔との中間位置には前記小孔よりも大きく、かつ、大径孔より小さい中径孔を備え、前記最も前壁側に近い控え壁に設けられた小孔は、大型擁壁用ブロック及びその上面側に積層される複数の擁壁用ブロックの最も前壁側に近い控え壁に設けられた小孔と直状に連通する連通孔を形成するように位置決め積層され、鉄筋コンクリート基礎フーチングより突設されたアンカー鉄筋及び鉄筋コンクリート基礎フーチング上面に載設された各擁壁用ブロックを連結する連結鉄筋とを、この連通孔内に連結挿通させて上下の擁壁用ブロックを一体連結させ、前記大型擁壁用ブロックの上面に積層される擁壁用ブロックのうち、該大型擁壁用ブロックの直上段には、この大型擁壁用ブロックよりも控え壁の背面側突設長さが短く形成された２次大型擁壁用ブロックが載設され、この２次大型擁壁用ブロックの膨拡壁は前記大型擁壁用ブロックの膨拡壁よりも小さく形成され、かつ、２次大型擁壁用ブロックの２次大径孔は大型擁壁用ブロックの大径孔よりも小さく形成され、更に、同２次大径孔は大型擁壁用ブロックの大径孔の概ね前壁側略前半部に位置するように積層形成されて成る構成であるから、前壁側から最も土圧が作用する控え部の端部側にかけて順に抗張力、および抗縮力が作用し得る様に鉄筋を挿入出来、擁壁全体の剛体を向上させると同時に構造全体の靭性をも向上させるので、従来の限度高さよりも更に高い擁壁が構築できるうえ、下部側にゆくにしたがい１次直線的に増大する土圧により２次曲線的に増大する断面力を備えることから経済性をも考慮しつつ、三角状に分布する土圧に対応できる擁壁ブロックを形成するという必要性を満足すると同時に膨拡壁内で大型擁壁ブロックと２次大型擁壁ブロックとを連通させるという条件を満足させ、完成度の高い擁壁構造を構築できる。
　【００４７】
　また、擁壁の構築構造において、前記膨拡壁内に設けた大径孔、控え壁に設けた中径孔あるいは小径孔の内面側には、挿入される鉄筋や充填材等を強固に連結固定するための凹凸、または凹凸溝が設けられて成る構成とすることにより、擁壁全体の剛体を向上させ、構造全体の靭性をも向上させて従来の限度高さよりも更に高い擁壁を構築できるとともに、モルタルやコンクリートが充填後に微小収縮して外力で移動したりすることが防止され、かつ充填材は各ブロックに一体に付着して各ブロックの連設強度を大きくさせることが可能である。
　【００４８】
　また、擁壁の構築構造において、前記大型擁壁用ブロック、２次大型擁壁用ブロックさらにその上段に積層された複数の擁壁用ブロックの前記鉄筋挿入用大径孔、鉄筋挿入用小孔、中径孔、２次大径孔は、それらの孔の内部上縁側から下縁側へ向けて孔径が小さくなるようなテーパ孔として形成されて成る構成とすることにより、前壁側からもっとも土圧が作用する控え部の端部側にかけて順に抗張力、および抗縮力が作用し得る様に鉄筋を挿入出来、擁壁全体の剛体を向上させ、構造全体の靭性をも向上させて従来の限度高さよりも更に高い擁壁が構築できるうえに、上下に隣接する各ブロックの接合面で大きな剪断抵抗を保持でき、よって控え壁側から前壁側への土圧即ち、上方への引張力に対しても耐圧性の高い構造を形成することが可能となり、擁壁全体が靭性により優れたものとなる。
【図面の簡単な説明】
　【図１】
　本発明の実施例に係る擁壁の構築構造の斜視図である。
　【図２】
　擁壁の構築構造の縦断側面図である。
　【図３】
　大型擁壁用ブロックの平面図である。
　【図４】
　大型擁壁用ブロックの正面図である。
　【図５】
　大型擁壁用ブロックの控え壁位置の縦断面図である。
　【図６】
　大型擁壁用ブロックの鉄筋の配筋状態を示した平面図である。
　【図７】
　大型擁壁用ブロックの前壁内の鉄筋の配筋状態を示した正面図である。
　【図８】
　大型擁壁用ブロックの控え壁内の鉄筋の配筋状態を示した側面図である。
　【図９】
　大型擁壁用ブロックの控え壁内のクロス配筋層を示した平面図である。
　【図１０】
　図９のクロス配筋層の第１、第２結合鉄筋群の鉄筋素子を左右に分離させた状態を示した平面図である。
　【図１１】
　大型擁壁用ブロックの控え壁内の対向配筋層を示した平面図である。
　【図１２】
　図１１の対向配筋層の第３、第４結合鉄筋群の鉄筋素子を左右に分離させた状態を示した平面図である。
　【図１３】
　２次大型擁壁用ブロックの平面図である。
　【図１４】
　２次大型擁壁用ブロックの正面図である。
　【図１５】
　２次大型擁壁用ブロックの控え壁位置の縦断面図である。
　【図１６】
　２次大型擁壁用ブロックの鉄筋の配筋状態を示した平面図である。
　【図１７】
　２次大型擁壁用ブロックの前壁の配筋状態を示した正面図である。
　【図１８】
　２次大型擁壁用ブロックの控え壁の配筋状態を示した側面図である。
　【図１９】
　２次大型擁壁用ブロックの控え壁の配筋状態を示した平面図である。
　【図２０】
　図１９に示す第１、第２結合鉄筋群の鉄筋素子を左右に分離させた状態を示した平面図である。
　【図２１】
　中型擁壁用ブロックの正面図である。
　【図２２】
　中型擁壁用ブロックの控え壁位置の縦断面図である。
　【図２３】
　中型擁壁用ブロックの鉄筋の配筋状態の平面図である。
　【図２４】
　中型擁壁用ブロックの控え壁の配筋状態を示した平面図である。
　【図２５】
　小型擁壁用ブロックの正面図である。
　【図２６】
　小型擁壁用ブロックの控え壁位置の縦断面図である。
　【図２７】
　小型擁壁用ブロックの鉄筋の配筋状態を示す平面図である。
　【図２８】
　小型擁壁用ブロックの控え壁内の鉄筋の配筋状態を示す平面図である。
　【図２９】
　大型擁壁用ブロックの上下接合状態を示す控え壁位置の縦断面図である。
　【図３０】
　各孔のテーパ角θを示す説明図である。
　【符合の説明】
　１０擁壁の構築構造
　１２基礎フーチング
　１４前壁
　１６控え壁
　１８アンカー鉄筋
　２０連結鉄筋
　２２膨拡壁
　２４鉄筋挿入用大径孔
　２６鉄筋挿入用小孔
　２８鉄筋挿入用中径孔
　３２結合鉄筋
　３４結合鉄筋群
　４２クロス配筋層
　４４対向配筋層
　４６テーパ面
　４７抗縮鉄筋
　４８前趾部
　５０後趾部
　５２凹凸溝
　５４脚部
　Ａ擁壁用ブロック
　Ｋ交差